(57)【要約】【解決手段】鋏の第一把持柄４と第二把持柄５との間には磁石１５を有する第一切替部１３と磁石１９を有する第二切替部１４とからなる磁力切替操作手段１２を備えている。第一切替部１３は第一把持柄４の指掛環１０の内側縁部１１に固定されている。第二切替部１４は、第二把持柄５の指掛環１０の内側縁部１１で回動可能に支持され、吸引回動位置Ｐで第二把持柄５の指掛環１０内に倒伏し、反発回動位置で第二把持柄５の指掛環１０内から起立する。磁力切替操作手段１２は、第二切替部１４の吸引回動位置Ｐで第一把持柄４と第二把持柄５との閉状態を保持するように磁石１５，１９により吸引する吸引状態Ｒと、第二切替部１４の反発回動位置で第一把持柄４と第二把持柄５とを閉状態から開くように磁石１５，１９により反発する反発状態とに切り替える。【効果】第一把持柄４と第二把持柄５との間の保持と保持解除に伴う開動助成とを簡単な構造のもとで行う。【選択図】図１
2008006522.tif 000002
【特許請求の範囲】
【請求項１】
第一把持柄と第二把持柄とを開閉して第一機能部と第二機能部とを開閉する手動利器において、第一把持柄と第二把持柄とを互いに閉じた閉状態を保持するように磁力により吸引する吸引状態と、第一把持柄と第二把持柄とをそれらの閉状態から互いに開くように磁力により反発する反発状態とに切り替えることができる磁力切替操作手段を備えたことを特徴とする手動利器における両把持柄の開閉動機構。
【請求項２】
前記磁力切替操作手段は、第一把持柄で磁力を有する第一切替部と、第二把持柄で磁力を有する第二切替部とを備え、この第一切替部と第二切替部とが相対動して前記吸引状態と前記反発状態とを取ることを特徴とする請求項１に記載の手動利器における両把持柄の開閉動機構。
【請求項３】
磁力を有する第一切替部は第一把持柄で固定され、磁力を有する第二切替部は、第二把持柄で移動可能に支持され、前記吸引状態で第一切替部に対し吸引される吸引移動位置と、前記反発状態で第一切替部に対し反発される反発移動位置とを取ることを特徴とする請求項２に記載の手動利器における両把持柄の開閉動機構。
【請求項４】
前記第一切替部は第一把持柄と第二把持柄との閉状態で相対向する内側縁部のうち第一把持柄の内側縁部に固定され、前記第二切替部は第二把持柄の内側縁部にある回動中心線を中心に第一把持柄と第二把持柄との間の開閉方向を含む面に対し直交する面上で回動可能に支持されていることを特徴とする請求項３に記載の手動利器における両把持柄の開閉動機構。
【発明の詳細な説明】
【技術分野】
【０００１】
本発明は鋏などの手動利器において両把持柄を開閉動させる機構に関するものである。
【背景技術】
【０００２】
従来、鋏などの手動利器においては、両把持柄間に設けられたばねの弾性力に抗して保持された両把持柄を保持解除してそのばねの弾性力で互いに開くことにより両把持柄の開閉操作を助成するものが提案されている。
【発明の開示】
【発明が解決しようとする課題】
【０００３】
しかし、両把持柄を開くためのばねのほかに、そのばねの弾性力に抗して両把持柄を閉状態で保持するロック手段を設ける必要があるため、両把持柄の開閉動機構の構造が複雑になっていた。
【０００４】
この発明は、鋏などの手動利器において両把持柄の開閉動機構の構造を簡単にすることを目的としている。
【課題を解決するための手段】
【０００５】
後記実施形態の図面（図１〜３に示す第１実施形態、図４に示す第２実施形態）の符号を援用して本発明を説明する。
請求項１の発明にかかる手動利器の両把持柄の開閉動機構は、第１，２実施形態に対応し、下記のように構成されている。
【０００６】
この手動利器においては、第一把持柄４と第二把持柄５とを開閉して第一機能部６と第二機能部７とを開閉し、その第一把持柄４と第二把持柄５との間には磁力切替操作手段１２を備えている。この磁力切替操作手段１２は、第一把持柄４と第二把持柄５とを互いに閉じた閉状態を保持するように磁力により吸引する吸引状態Ｒと、第一把持柄４と第二把持柄５とをそれらの閉状態から互いに開くように磁力により反発する反発状態Ｓとに切り替えることができる。
【０００７】
請求項１の発明では、磁力切替操作手段１２の切り替えにより、第一把持柄４と第二把持柄５との間の保持と保持解除に伴う開動助成とを磁力を利用した簡単な構造のもとで行うことができる。
【０００８】
請求項１の発明を前提とする請求項２の発明（第１，２実施形態に対応）において、前記磁力切替操作手段１２は、第一把持柄４で磁力（例えば第一把持柄４に取り付けた磁石１５の磁力）を有する第一切替部１３と、第二把持柄５で磁力（例えば第二把持柄５に取り付けた磁石１９の磁力）を有する第二切替部１４とを備え、この第一切替部１３と第二切替部１４とが相対動して前記吸引状態Ｒと前記反発状態Ｓとを取る。この場合、第一切替部１３や第二切替部１４の一部または全部を磁石にすることができる。請求項２の発明では、磁力切替操作手段１２を簡単な構造にすることができる。
【０００９】
請求項２の発明を前提とする請求項３の発明（第１，２実施形態に対応）において、磁力を有する第一切替部１３は第一把持柄４で固定され、磁力を有する第二切替部１４は、第二把持柄５で移動可能に支持され、前記吸引状態Ｒで第一切替部１３に対し吸引される吸引移動位置Ｐと、前記反発状態Ｓで第一切替部１３に対し反発される反発移動位置Ｑとを取る。請求項３の発明では、磁力を有する第一切替部１３の構造を簡単にして磁力切替操作手段１２をより一層簡単な構造にすることができる。
【００１０】
請求項３の発明を前提とする請求項４の発明（第１実施形態に対応）において、前記第一切替部１３は第一把持柄４と第二把持柄５との閉状態で相対向する内側縁部１１のうち第一把持柄４の内側縁部１１に固定され、前記第二切替部１４は第二把持柄５の内側縁部１１にある回動中心線２０ａを中心に第一把持柄４と第二把持柄５との間の開閉方向Ｘを含む面Ｌに対し直交する面Ｍ上で回動可能に支持されている。請求項４の発明では、第一把持柄４の内側縁部１１に第一切替部１３を設けるとともに第二把持柄５の内側縁部１１に第二切替部１４を設けることにより、磁力切替操作手段１２をより一層簡単な構造にすることができる。また、第一切替部１３に対する吸引と反発とを共に行うことができる第二切替部１４を設けることが可能となり、第二切替部１４の構造を簡単にして磁力切替操作手段１２をより一層簡単な構造にすることができる。
【００１１】
次に、請求項以外の技術的思想について実施形態の図面の符号を援用して説明する。
請求項４の発明を前提とする第５の発明（第１実施形態に対応）において、第一把持柄４は内側縁部１１を含む指掛環１０を有し、第二把持柄５は内側縁部１１を含む指掛環１０を有し、第二切替部１４は、吸引回動位置Ｐで第二把持柄５の指掛環１０内に倒伏し、第二把持柄５の指掛環１０に入れた指Ｆにより反発回動位置Ｑで第二把持柄５の指掛環１０内から起立する。第５の発明では、第二把持柄５の指掛環１０に対する指Ｆの出し入れにより第二切替部１４を操作することができ、使い勝手が良くなる。
【００１２】
第５の発明を前提とする第６の発明（第１実施形態に対応）においては、第一把持柄４と第二把持柄５との閉状態で第二把持柄５の指掛環１０に入れた指Ｆにより、第二把持柄５の指掛環１０内に倒伏している第二切替部１４が押されて第二把持柄５の指掛環１０内から起立し、第一切替部１３と第二切替部１４との間の反発磁力により反発回動位置Ｑとなって第一切替部１３と第二切替部１４とが前記反発状態Ｓを取り、また、第二把持柄５の指掛環１０に指Ｆを入れて第一把持柄４と第二把持柄５とを互いに閉じる際に第二把持柄５の指掛環１０から指Ｆを抜くと、第一切替部１３と第二切替部１４との間の吸引磁力により、第二把持柄５の指掛環１０内から起立している第二切替部１４が第二把持柄５の指掛環１０内に倒伏し、吸引回動位置Ｐとなって第一切替部１３と第二切替部１４とが前記吸引状態Ｒを取る。第６の発明では、第一把持柄４と第二把持柄５との閉状態で第二把持柄５の指掛環１０に指Ｆを入れるだけで磁力切替操作手段１２が吸引状態Ｒから反発状態Ｓとなり、また、第一把持柄４と第二把持柄５とを互いに閉じる際に第二把持柄５の指掛環１０に入れた指Ｆを抜くだけで磁力切替操作手段１２が反発状態Ｓから吸引状態Ｒとなるため、使い勝手を良くすることができる。
【００１３】
第５の発明または第６の発明を前提とする第７の発明（第１実施形態に対応）において、第二把持柄５の指掛環１０の内側縁部１１は、相対向する両回動中心軸部２０と、この両回動中心軸部２０間に嵌め込まれてその両回動中心軸部２０間の回動中心線２０ａを中心に回動可能に支持された第二切替部１４とからなる。第７の発明では、第二切替部１４を第二把持柄５の指掛環１０の一部として利用することにより、磁力切替操作手段１２をより一層簡単な構造にすることができる。
【００１４】
第７の発明を前提とする第８の発明（第１実施形態に対応）において、第二切替部１４は、両回動中心軸部２０間に嵌め込まれた基部１７と、その基部１７から突出する指当部１８とからなる。第８の発明では、第二把持柄５に指当部１８があるため、第二把持柄５の指掛環１０に対し指Ｆを出し入れする際に第二切替部１４を操作し易くなって使い勝手を良くすることができる。
【００１５】
第８の発明を前提とする第９の発明（第１実施形態に対応）において、両回動中心軸部２０は、第二切替部１４の基部１７内に挿嵌されている。第９の発明では、第二切替部１４の回動支持構造を簡単にすることができる。
【００１６】
請求項４の発明または第５の発明または第６の発明または第７の発明または第８の発明または第９の発明を前提とする第１０の発明（第１実施形態に対応）にかかる第二切替部１４において、磁石１９がケース１６内に埋め込まれて隠蔽されている。第１０の発明では、第二切替部１４に対する感触を良くすることができる。
【００１７】
請求項３の発明を前提とする第１１の発明（第２実施形態に対応）において、前記第一切替部１３は第一把持柄４と第二把持柄５との閉状態で相対向する内側縁部１１のうち第一把持柄４の内側縁部１１に固定され、前記第二切替部１４は第一把持柄４と第二把持柄５との間の開閉方向Ｘを含む面に沿って移動可能に支持されている。第１１の発明では、第一把持柄４の内側縁部１１に第一切替部１３を設けるとともに第二把持柄５の内側縁部１１に第二切替部１４を設けることにより、磁力切替操作手段１２をより一層簡単な構造にすることができる。
【００１８】
第１１の発明を前提とする第１２の発明（第２実施形態に対応）において、第一把持柄４は内側縁部１１を含む指掛環１０を有し、第二把持柄５は内側縁部１１を含む指掛環１０を有し、第一把持柄４と第二把持柄５との閉状態で第二把持柄５の指掛環１０に入れた指Ｆにより、第二把持柄５の指掛環１０内で第二切替部１４が押され、反発移動位置Ｑとなって第一切替部１３と第二切替部１４とが前記反発状態Ｓを取る。第１２の発明では、第一把持柄４と第二把持柄５との閉状態で第二把持柄５の指掛環１０に指Ｆを入れるだけで磁力切替操作手段１２が吸引状態Ｒから反発状態Ｓとなるため、使い勝手を良くすることができる。
【００１９】
請求項１から請求項４のうちいずれかの請求項の発明、または第５の発明または第６の発明または第７の発明または第８の発明または第９の発明または第１０の発明または第１１の発明または第１２の発明を前提とする第１３の発明（第１，２実施形態に対応）において、前記手動利器は鋏であって、第一鋏片１と第二鋏片２とを開閉中心部３で回動可能に支持し、その開閉中心部３よりも基端側で第一鋏片１に前記第一把持柄４を設けるとともに第二鋏片２に前記第二把持柄５を設け、その開閉中心部３よりも先端側で第一鋏片１に前記第一機能部としての刃体６を設けるとともに第二鋏片２に前記第二機能部としての刃体７を設けている。第１３の発明では、請求項１から請求項４のうちいずれかの請求項の発明、または第５の発明または第６の発明または第７の発明または第８の発明または第９の発明または第１０の発明または第１１の発明または第１２の発明の効果を鋏において発揮させることができる。
【発明の効果】
【００２０】
本発明は、鋏などの手動利器において磁力による吸引及び反発を利用することにより、第一把持柄４と第二把持柄５との間の保持と保持解除に伴う開動助成とを簡単な構造のもとで行うことができる。
【発明を実施するための最良の形態】
【００２１】
まず、本発明の第１実施形態にかかる鋏について図１〜３を参照して説明する。
図１（ａ）及び図２（ａ）に示す手動利器としての鋏においては、第一鋏片１と第二鋏片２とがＸ状に交差して開閉中心部３により回動可能に支持されている。その開閉中心部３よりも基端側では、第一鋏片１に第一把持柄４が設けられているとともに、第二鋏片２に第二把持柄５が設けられている。その開閉中心部３よりも先端側では、第一鋏片１に第一機能部としての刃体６が設けられているとともに、第二鋏片２に第二機能部としての刃体７が設けられている。この第一把持柄４及び第二把持柄５においては、刃体６，７から延設された支持板８にプラスチック製の握り部９が取着されている。これらの握り部９には指入孔１０ａを有する指掛環１０が設けられている。これらの握り部９において第一把持柄４と第二把持柄５との閉状態で相対向する内側縁部１１のうち、第一把持柄４の指掛環１０の一部となる内側縁部１１には磁力切替操作手段１２として第一切替部１３が設けられ、第二把持柄５の指掛環１０の一部となる内側縁部１１には磁力切替操作手段１２として第二切替部１４が設けられている。
【００２２】
図１（ｂ）（ｃ）及び図２（ｂ）（ｃ）に示すように、前記第一切替部１３においては、磁石１５が埋め込まれて固定され、この磁石１５の磁力面１５ａが第二把持柄５の指掛環１０の内側縁部１１に面して露出している。また、前記第二切替部１４において、一対のカバー１６ａが互いに重ねられて形成されたプラスチック製のケース１６は、磁石１９が埋め込まれて隠蔽された基部１７と、その基部１７から突出する指当部１８とからなる。第一把持柄４と第二把持柄５との閉状態において第一把持柄４の指掛環１０の内側縁部１１に沿う方向の両側で相対向して突設された両回動中心軸部２０がこの基部１７内に挿嵌されて基部１７がこの両回動中心軸部２０間に嵌め込まれている。この第二切替部１４は、第一把持柄４と第二把持柄５との間の開閉方向Ｘを含む平面Ｌに対し直交する平面Ｍ上で、この両回動中心軸部２０間を結ぶ回動中心線２０ａを中心に回動可能に支持され、その回動に伴い、第二把持柄５の指掛環１０の指入孔１０ａ内に入り込んで倒伏し得るとともに、その指入孔１０ａ内から突出して起立し得る。その回動時には、第一切替部１３の磁石１５に対し働く第二切替部１４の磁石１９の磁力面が変化するため、第一切替部１３の磁石１５と第二切替部１４の磁石１９との間に吸引磁力または反発磁力が生じる。
【００２３】
さて、図１（ａ）（ｂ）（ｃ）に示すように、第一把持柄４と第二把持柄５とを互いに閉じた閉状態では、第二切替部１４が第二把持柄５の指掛環１０の指入孔１０ａ内に入り込んで倒伏し、第一切替部１３の磁石１５と第二切替部１４の磁石１９との間の吸引磁力により、第二切替部１４が吸引回動位置Ｐで停止して第一切替部１３と第二切替部１４とが吸引状態Ｒを取る。そのため、第一把持柄４と第二把持柄５とは閉状態で保持される。
【００２４】
この吸引状態Ｒで第二把持柄５の指掛環１０の指入孔１０ａに指Ｆを入れると、その指Ｆにより第二切替部１４が押されて第二把持柄５の指掛環１０の指入孔１０ａ内から突出して起立する。その直後には、図２（ａ）（ｂ）（ｃ）に示すように、第一切替部１３の磁石１５と第二切替部１４の磁石１９との間の反発磁力により、第二切替部１４が吸引回動位置Ｐから反発回動位置Ｑとなって停止して第一切替部１３と第二切替部１４とが反発状態Ｓを取る。そのため、第一把持柄４と第二把持柄５とは互いに若干開く。使用時には図３（ａ）（ｂ）に示すように第一把持柄４と第二把持柄５とを刃体６，７とともに互いに開閉させる。
【００２５】
第一把持柄４と第二把持柄５とを互いに閉じる際、第二切替部１４が第一切替部１３に当接する直前にまたは当接した後に、第二把持柄５の指掛環１０の指入孔１０ａから指Ｆを抜くと、第一切替部１３の磁石１５と第二切替部１４の磁石１９との間の吸引磁力により、第二切替部１４が反発回動位置Ｑから吸引回動位置Ｐとなって停止して第一切替部１３と第二切替部１４とが吸引状態Ｒを取る。
【００２６】
次に、本発明の第２実施形態にかかる鋏について第１実施形態との相違点を中心に図４を参照して説明する。
第二把持柄５の指掛環１０の内側縁部１１において、第二切替部１４は、第一把持柄４と第二把持柄５との閉状態で第一把持柄４の指掛環１０の内側縁部１１に沿う方向へ、第一把持柄４と第二把持柄５との間の開閉方向Ｘを含む平面上で移動可能に支持され、その指掛環１０の指入孔１０ａ内に入り込んでいる。この第二切替部１４内に埋め込まれた磁石１９は、第二切替部１４の移動方向の両側に並設された一対の磁石１９ａ，１９ｂからなる。
【００２７】
さて、図４（ａ）に示すように、第一把持柄４と第二把持柄５とを互いに閉じた閉状態では、第一切替部１３の磁石１５と第二切替部１４の磁石１９ａとの間の吸引磁力により、第二切替部１４が吸引移動位置Ｐで停止して第一切替部１３と第二切替部１４とが吸引状態Ｒを取る。そのため、第一把持柄４と第二把持柄５とは閉状態で保持される。
【００２８】
この吸引状態Ｒで第二把持柄５の指掛環１０の指入孔１０ａに指Ｆを入れると、その指Ｆにより第二切替部１４が押されて吸引移動位置Ｐから反発移動位置Ｑへ移動して停止し、第一切替部１３の磁石１５と第二切替部１４の磁石１９ｂとの間に反発磁力が生じる。その直後には、図４（ｂ）に示すように、その反発磁力により第一切替部１３と第二切替部１４とが反発状態Ｓを取る。そのため、第一把持柄４と第二把持柄５とは互いに若干開く。
【００２９】
第一把持柄４と第二把持柄５とを互いに閉じる際、第二切替部１４が第一切替部１３に当接する直前にまたは当接した後に、第二切替部１４を反発移動位置Ｑから吸引移動位置Ｐへ移動させて停止させると、第一切替部１３の磁石１５と第二切替部１４の磁石１９ａとの間の吸引磁力により、第一切替部１３と第二切替部１４とが吸引状態Ｒを取る。
【００３０】
この第２実施形態の別例としては、第一把持柄４と第二把持柄５との間の開閉方向Ｘを含む平面上で任意の方向へ第二切替部１４を第一切替部１３に対し移動させて第二切替部１４が吸引移動位置Ｐと反発移動位置Ｑとを取るようにしてもよい。
【００３１】
また、第一把持柄と第二把持柄とを開閉して第一機能部と第二機能部とを開閉する手動利器としては、鋏などの切断手工具ばかりでなく、ペンチやプライヤなどの手持ち握り具でもよい。
【図面の簡単な説明】
【００３２】
【図１】（ａ）は第１実施形態にかかる鋏において閉状態を示す平面図であり、（ｂ）は（ａ）の一部切欠き部分平面図であり、（ｃ）は（ａ）のＡ−Ａ線拡大断面図である。
【図２】（ａ）は第１実施形態にかかる鋏において開き始めの状態を示す平面図であり、（ｂ）は（ａ）の一部切欠き部分平面図であり、（ｃ）は（ａ）のＢ−Ｂ線拡大断面図である。
【図３】（ａ）は第１実施形態にかかる鋏において開状態を示す平面図であり、（ｂ）は同じく閉状態を示す平面図である。
【図４】（ａ）は第２実施形態にかかる鋏において閉状態を示す平面図であり、（ｂ）は第２実施形態にかかる鋏において開き始めの状態を示す平面図である。
【符号の説明】
【００３３】
４…第一把持柄、５…第二把持柄、６…第一機能部としての刃体、７…第二機能部としての刃体、１０…指掛環、１１…内側縁部、１２…磁力切替操作手段、１３…第一切替部、１４…第二切替部、１５，１９…磁石、２０ａ…回動中心線、Ｒ…吸引状態、Ｓ…反発状態、Ｐ…吸引移動位置、Ｑ…反発移動位置、Ｘ…開閉方向、Ｌ，Ｍ…面、Ｆ…指。
【図１】
2008006522.tif 000003
【図２】
2008006522.tif 000004
【図３】
2008006522.tif 000005
【図４】
2008006522.tif 000006